(57)【要約】【課題】アドレスの際に違和感が生じにくいゴルフクラブヘッドの提供。【解決手段】ヘッド２のクラウン６は、塗装領域６ｐを有する。塗装領域６ｐは、彩度が最大値Ｃｍａｘである彩度最大部ＳＲ１と、彩度最大部ＳＲ１を含み彩度Ｃｍａｘとの彩度差が１５以下である高彩度領域ＳＲ２と、彩度Ｃｍａｘとの彩度差が１５より大きい低彩度領域ＳＲ３とを有している。低彩度領域ＳＲ３は、高彩度領域ＳＲ２を取り囲んでいる。ヘッド２の平面図において、フェースセンターＦｃを通りフェース−バック方向に延びる直線が直線Ｃとされ、高彩度領域ＳＲ２のうち直線Ｃよりもトウ側の部分の面積がＳｔとされ、高彩度領域ＳＲ２のうち直線Ｃよりもヒール側の部分の面積がＳｈとされるとき、面積Ｓｔが面積Ｓｈよりも大きい。【選択図】図３
2019013376.tif 000002
【特許請求の範囲】
【請求項１】
フェースセンターを有する打撃面と、塗装領域を有するクラウンと、ソールと、ホーゼル孔とを備えており、
前記塗装領域の色がＣＩＥＬＡＢ表示系における指数Ｌ＊、ａ＊及びｂ＊で表され、この色の彩度が（（ａ＊）２＋（ｂ＊）２）１／２であるとき、
前記塗装領域が、
前記彩度が最大値Ｃｍａｘである彩度最大部と、
前記彩度最大部を含み前記彩度Ｃｍａｘとの彩度差が１５以下である高彩度領域と、
前記彩度Ｃｍａｘとの彩度差が１５より大きい低彩度領域とを有しており、
前記低彩度領域は、前記高彩度領域を取り囲んでおり、
ヘッドの平面図において、前記フェースセンターを通りフェース−バック方向に延びる直線が直線Ｃとされ、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔが面積Ｓｈよりも大きいゴルフクラブヘッド。
【請求項２】
Ｓｔ／Ｓｈが１．５以上である請求項１に記載のゴルフクラブヘッド。
【請求項３】
前記塗装領域の色の明度が前記指数Ｌ＊であるとき、
前記塗装領域が、
前記明度が最大値Ｌｍａｘである明度最大部と、
前記明度最大部を含み前記明度Ｌｍａｘとの明度差が８．０以下である高明度領域と、
前記明度Ｌｍａｘとの明度差が８．０より大きい低明度領域とを有しており、
前記低明度領域は、前記高明度領域を取り囲んでおり、
ヘッドの平面図において、前記低明度領域のうち前記直線Ｃよりもトウ側の部分の面積がＭｔとされ、前記低明度領域のうち前記直線Ｃよりもヒール側の部分の面積がＭｈとされるとき、面積Ｍｔが面積Ｍｈよりも大きい請求項１又は２に記載のゴルフクラブヘッド。
【請求項４】
Ｍｔ／Ｍｈが１．５以上である請求項３に記載のゴルフクラブヘッド。
【請求項５】
フェースセンターを有する打撃面と、塗装領域を有するクラウンと、ソールと、ホーゼル孔とを備えており、
前記塗装領域の色がＣＩＥＬＡＢ表示系における指数Ｌ＊、ａ＊及びｂ＊で表され、この色の明度がＬ＊であるとき、
前記塗装領域が、
前記明度が最大値Ｌｍａｘである明度最大部と、
前記明度最大部を含み前記明度Ｌｍａｘとの明度差が８．０以下である高明度領域と、
前記明度Ｌｍａｘとの明度差が８．０より大きい低明度領域とを有しており、
前記低明度領域は、前記高明度領域を取り囲んでおり、
ヘッドの平面図において、前記フェースセンターを通りフェース−バック方向に延びる直線が直線Ｃとされ、前記低明度領域のうち前記直線Ｃよりもトウ側の部分の面積がＭｔとされ、前記低明度領域のうち前記直線Ｃよりもヒール側の部分の面積がＭｈとされるとき、面積Ｍｔが面積Ｍｈよりも大きいゴルフクラブヘッド。
【請求項６】
Ｍｔ／Ｍｈが１．５以上である請求項５に記載のゴルフクラブヘッド。
【請求項７】
前記塗装領域の色の彩度が（（ａ＊）２＋（ｂ＊）２）１／２であるとき、
前記塗装領域が、
前記彩度が最大値Ｃｍａｘである彩度最大部と、
前記彩度最大部を含み前記彩度Ｃｍａｘとの彩度差が１５以下である高彩度領域と、
前記彩度Ｃｍａｘとの彩度差が１５より大きい低彩度領域とを有しており、
前記低彩度領域は、前記高彩度領域を取り囲んでおり、
ヘッドの平面図において、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔが面積Ｓｈよりも大きい請求項５又は６に記載のゴルフクラブヘッド。
【請求項８】
Ｓｔ／Ｓｈが１．５以上である請求項７に記載のゴルフクラブヘッド。
【請求項９】
前記直線Ｃよりもトウ側のヘッド面積がＨｔとされ、前記直線Ｃよりもヒール側のヘッド面積がＨｈとされるとき、
Ｈｈ／（Ｈｔ＋Ｈｈ）が０．４０以上である請求項１から８のいずれか１項に記載のゴルフクラブヘッド。
【請求項１０】
前記直線Ｃが、前記ヘッドのフェース側の輪郭線との交点Ｐｆと、前記ヘッドのバック側の輪郭線との交点Ｐｂと、前記交点Ｐｆと前記交点Ｐｂとを結ぶ線分の中点Ｐｍとを有しており、前記中点Ｐｍがクラウンセンターとされ、
前記クラウンセンターを通りトウ−ヒール方向に延びる直線が直線Ｖとされ、
前記直線Ｖが、前記ヘッドのトウ側の輪郭線との交点Ｐｔと、前記ヘッドのヒール側の輪郭線との交点Ｐｈとを有しており、
前記クラウンセンターと前記交点Ｐｔとを結ぶ線分の長さがＬｔとされ、前記クラウンセンターと前記交点Ｐｈとを結ぶ線分の長さがＬｈとされるとき、Ｌｈ／（Ｌｈ＋Ｌｔ）が０．４０以上である請求項１から９のいずれか１項に記載のゴルフクラブヘッド。
【請求項１１】
前記ヘッドのバック側の輪郭線と前記直線Ｃの交点Ｐｂと前記ホーゼル孔の開口中心点Ｐｚとを結ぶ線分が線分Ｄとされ、
前記線分Ｄの長さがＬ１とされ、
前記線分Ｄよりもヒール側に位置する前記ヘッドの輪郭線上の点であって前記線分Ｄから最も離れた点Ｐｓと前記線分Ｄとの間の距離がＬ２とされるとき、
Ｌ２／Ｌ１が０．１４０以上である請求項１から１０のいずれか１項に記載のゴルフクラブヘッド。
【発明の詳細な説明】
【技術分野】
【０００１】
本発明は、ゴルフクラブヘッドに関する。
【背景技術】
【０００２】
クラウンを有するヘッドが知られている。例えば、ウッド型ヘッド及びハイブリッド型ヘッドは、クラウンを有している。
【０００３】
通常、クラウンは、着色されている。局所的なマーキングを除き、通常、クラウンは、全体として単色である。
【先行技術文献】
【特許文献】
【０００４】
【特許文献１】米国意匠登録第６４３８９９号公報
【発明の概要】
【発明が解決しようとする課題】
【０００５】
アドレスの際、ヘッドはゴルファーに視認される。視認されるヘッドは、ゴルファーに様々なイメージを与える。クラウンを有するヘッドでは、アドレスの際にこのクラウンが目立つ。クラウンは、ヘッドの輪郭を形成している。クラウンの見え方が、ゴルファーに様々なイメージを与える。このイメージは、スイング、ひいてはショットの結果に影響する。
【０００６】
本発明者は、新たな技術思想に基づき、アドレスの際に生ずるイメージを改善しうるヘッドを見いだすに至った。本開示の目的は、アドレスの際に違和感が生じにくいゴルフクラブヘッドの提供にある。
【課題を解決するための手段】
【０００７】
ある側面において、ゴルフクラブヘッドは、フェースセンターを有する打撃面と、塗装領域を有するクラウンと、ソールと、ホーゼル孔とを備えている。前記塗装領域の色がＣＩＥＬＡＢ表示系における指数Ｌ＊、ａ＊及びｂ＊で表され、この色の彩度が（（ａ＊）２＋（ｂ＊）２）１／２であるとき、前記塗装領域が、前記彩度が最大値Ｃｍａｘである彩度最大部と、前記彩度最大部を含み前記彩度Ｃｍａｘとの彩度差が１５以下である高彩度領域と、前記彩度Ｃｍａｘとの彩度差が１５より大きい低彩度領域とを有していてもよい。前記低彩度領域は、前記高彩度領域を取り囲んでいてもよい。ヘッドの平面図において、前記フェースセンターを通りフェース−バック方向に延びる直線が直線Ｃとされ、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔは面積Ｓｈよりも大きくてもよい。Ｓｔ／Ｓｈが１．５以上であってもよい。
【０００８】
他の側面において、前記塗装領域の色の明度が前記指数Ｌ＊であるとき、前記塗装領域が、前記明度が最大値Ｌｍａｘである明度最大部と、前記明度最大部を含み前記明度Ｌｍａｘとの明度差が８．０以下である高明度領域と、前記明度Ｌｍａｘとの明度差が８．０より大きい低明度領域とを有していてもよい。前記低明度領域は、前記高明度領域を取り囲んでいてもよい。ヘッドの平面図において、前記低明度領域のうち前記直線Ｃよりもトウ側の部分の面積がＭｔとされ、前記低明度領域のうち前記直線Ｃよりもヒール側の部分の面積がＭｈとされるとき、面積Ｍｔは面積Ｍｈよりも大きくてもよい。Ｍｔ／Ｍｈが１．５以上であってもよい。
【０００９】
他の側面において、ゴルフクラブヘッドは、フェースセンターを有する打撃面と、塗装領域を有するクラウンと、ソールと、ホーゼル孔とを備えている。前記塗装領域の色がＣＩＥＬＡＢ表示系における指数Ｌ＊、ａ＊及びｂ＊で表され、この色の明度がＬ＊であるとき、前記塗装領域が、前記明度が最大値Ｌｍａｘである明度最大部と、前記明度最大部を含み前記明度Ｌｍａｘとの明度差が８．０以下である高明度領域と、前記明度Ｌｍａｘとの明度差が８．０より大きい低明度領域とを有していてもよい。前記低明度領域は、前記高明度領域を取り囲んでいてもよい。ヘッドの平面図において、前記フェースセンターを通りフェース−バック方向に延びる直線が直線Ｃとされ、前記低明度領域のうち前記直線Ｃよりもトウ側の部分の面積がＭｔとされ、前記低明度領域のうち前記直線Ｃよりもヒール側の部分の面積がＭｈとされるとき、面積Ｍｔは面積Ｍｈよりも大きくてもよい。Ｍｔ／Ｍｈが１．５以上であってもよい。
【００１０】
他の側面において、前記塗装領域の色の彩度が（（ａ＊）２＋（ｂ＊）２）１／２であるとき、前記塗装領域が、前記彩度が最大値Ｃｍａｘである彩度最大部と、前記彩度最大部を含み前記彩度Ｃｍａｘとの彩度差が１５以下である高彩度領域と、前記彩度Ｃｍａｘとの彩度差が１５より大きい低彩度領域とを有していてもよい。前記低彩度領域は、前記高彩度領域を取り囲んでいてもよい。ヘッドの平面図において、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔが面積Ｓｈよりも大きくてもよい。Ｓｔ／Ｓｈが１．５以上であってもよい。
【００１１】
前記直線Ｃによりもトウ側のヘッド面積がＨｔとされ、前記直線Ｃよりもヒール側のヘッド面積がＨｈとされる。他の側面において、Ｈｈ／（Ｈｔ＋Ｈｈ）が０．４０以上であってもよい。
【００１２】
前記直線Ｃが、前記ヘッドのフェース側の輪郭線との交点Ｐｆと、前記ヘッドのバック側の輪郭線との交点Ｐｂと、前記交点Ｐｆと前記交点Ｐｂとを結ぶ線分の中点Ｐｍとを有しており、前記中点Ｐｍがクラウンセンターとされる。前記クラウンセンターを通りトウ−ヒール方向に延びる直線が直線Ｖとされる。前記直線Ｖが、前記ヘッドのトウ側の輪郭線との交点Ｐｔと、前記ヘッドのヒール側の輪郭線との交点Ｐｈとを有している。前記クラウンセンターと前記交点Ｐｔとを結ぶ線分の長さがＬｔとされ、前記クラウンセンターと前記交点Ｐｈとを結ぶ線分の長さがＬｈとされる。他の側面において、Ｌｈ／（Ｌｈ＋Ｌｔ）が０．４０以上であってもよい。
【００１３】
前記ヘッドのバック側の輪郭線と前記直線Ｃの交点Ｐｂと前記ホーゼル孔の開口中心点Ｐｚとを結ぶ線分が線分Ｄとされ、前記線分Ｄの長さがＬ１とされる。前記線分Ｄよりもヒール側に位置する前記ヘッドの輪郭線上の点であって前記線分Ｄから最も離れた点が点Ｐｓとされ、この点Ｐｓと前記線分Ｄとの間の距離がＬ２とされる。他の側面において、Ｌ２／Ｌ１が０．１４０以上であってもよい。
【発明の効果】
【００１４】
アドレスの際に違和感が生じにくい。
【図面の簡単な説明】
【００１５】
【図１】図１は、第１実施形態に係るゴルフクラブヘッドの平面図である。
【図２】図２は、図１と同じ平面図である。図２では、塗装領域と未塗装領域とが示されている。
【図３】図３は、図１と同じ平面図である。図３では、彩度等高境界が示されている。
【図４】図４は、図１と同じ平面図である。図４では、高彩度領域が示されている。
【図５】図５は、第２実施形態に係るゴルフクラブヘッドの平面図である。
【図６】図６は、図５と同じ平面図である。図６では、高明度領域が示されている。
【図７】図７は、図５と同じ平面図である。図７では、直線Ｃで分割される２つのヘッド面積が示されている。
【図８】図８は、第３実施形態に係るゴルフクラブヘッドの平面図である。
【図９】図９は、第４実施形態に係るゴルフクラブヘッドの平面図である。
【図１０】図１０は、第５実施形態に係るゴルフクラブヘッドの平面図である。
【図１１】図１１は、基準状態を説明するための概略図である。
【発明を実施するための形態】
【００１６】
以下、適宜図面が参照されつつ、実施形態が詳細に説明される。
【００１７】
本願では、基準状態、基準垂直面、フェース−バック方向、トウ−ヒール方向、上下方向、フェースセンター及び平面図が定義される。
【００１８】
所定のライ角及びリアルロフト角で水平面Ｈ上にヘッド２が載置された状態が、基準状態とされる。図１１が示すように、この基準状態では、水平面ＨＰに対して垂直な平面ＶＰに、ホーゼル孔の中心線Ｚが含まれている。前記平面ＶＰが、基準垂直面とされる。所定のライ角及びリアルロフト角は、例えば製品カタログに掲載されている。
【００１９】
本願においてトウ−ヒール方向とは、前記基準垂直面ＶＰと前記水平面Ｈとの交線ＮＬの方向である（図１１参照）。
【００２０】
本願においてフェース−バック方向とは、前記トウ−ヒール方向に対して垂直であり且つ前記水平面Ｈに対して平行な方向である。
【００２１】
本願において上下方向とは、前記トウ−ヒール方向に対して垂直であり且つ前記フェース−バック方向に対して垂直な方向である。換言すれば、本願において上下方向とは、前記水平面Ｈに対して垂直な方向である。
【００２２】
本願において、フェースセンターＦｃが定義される。フェースセンターＦｃは、次のように決定される。まず、上下方向およびトウ−ヒール方向において、フェース面の概ね中央付近の任意の点Ｐｒが選択される。次に、この点Ｐｒを通り、当該点Ｐｒにおけるフェース面の法線方向に沿って延び、かつトウ−ヒール方向に平行な平面が決定される。この平面とフェース面との交線を引き、その中点Ｐｘが決定される。次に、この中点Ｐｘを通り、当該点Ｐｘにおけるフェース面の法線方向に沿って延び、かつ上下方向に平行な平面が決定される。この平面とフェース面との交線を引き、その中点Ｐｙが決定される。次に、この中点Ｐｙを通り、当該点Ｐｙにおけるフェース面の法線方向に沿って延び、かつトウ−ヒール方向に平行な平面が決定される。この平面とフェース面との交線を引き、その中点Ｐｘが新たに決定される。次に、この新たな中点Ｐｘを通り、当該点Ｐｘにおけるフェース面の法線方向に沿って延び、かつ上下方向に平行な平面が決定される。この平面とフェース面との交線を引き、その中点Ｐｙが新たに決定される。この工程を繰り返して、Ｐｘ及びＰｙが順次決定される。この工程の繰り返しの中で、新たな中点Ｐｙとその直前の中点Ｐｙとの間の距離が最初に０．５ｍｍ以下となったときの当該新たな位置Ｐｙ（最後の位置Ｐｙ）が、フェースセンターＦｃである。
【００２３】
本願において平面図とは、ヘッドの上面図を意味する。この平面図は、平行投影図であって、前記水平面Ｈに平行な平面への正投影図である。投影の方向は、前記上下方向である。本願のクラウンに関する規定は、いずれもこの平面図における規定である。
【００２４】
[１．第１実施形態]
【００２５】
図１は、第１実施形態に係るゴルフクラブヘッド２の平面図である。図１では、クラウンの色がグレースケールで示されている。実際には、このクラウンの色は色彩を有しうる。図２は、図１と同じ平面図である。ただし、図２は線図である。
【００２６】
ヘッド２は、フェース４、クラウン６、ソール（図示されず）及びホーゼル１０を有する。フェース４は、打撃面１４を有する。打撃面１４は、フェースセンターＦｃを有する。クラウン６は、フェース４の上端縁４ａからヘッド後方に向かって延びている。ソールは、フェース４の下端縁４ｂからヘッド後方に向かって延びている。ホーゼル１０は、ホーゼル孔１２を有する。
【００２７】
ヘッド２は中空である。ヘッド２は、ウッド型のゴルフクラブヘッドである。ヘッド２は、１番ウッド（ドライバー）のヘッドである。
【００２８】
クラウン６の表面（外面）は、曲面である。クラウン６の表面は、ヘッド２の外側に向かって凸の曲面である。クラウン６の表面は、その全体が滑らかに連続している。
【００２９】
クラウン６の表面は、その略全体が塗装されている。塗装されている領域が、塗装領域６ｐと称される。クラウン６の表面の略全体が、塗装領域６ｐである。より正確には、クラウン６は、塗装領域６ｐと未塗装領域６ｍとを有する。図２において、塗装領域６ｐは破線ハッチングで示されており、未塗装領域６ｍは実線ハッチングで示されている。未塗装領域６ｍは、塗装領域６ｐのフェース側に隣接している。
【００３０】
平面図において、塗装領域６ｐの面積は、クラウン６の面積の９５％以上を占めている。塗装領域６ｐと未塗装領域６ｍとの間の境界ｋ１は、フェース４の上端縁４ａに略沿って延びている。未塗装領域６ｍは、境界ｋ１と上端縁４ａとの間の領域である。
【００３１】
境界ｋ１は、打撃面１４に略沿って延びている。境界ｋ１は、打撃面１４の向きを明確とするのに役立つ。境界ｋ１は、構えやすさに寄与する。未塗装領域６ｍは、打撃面１４に略沿って延びている。未塗装領域６ｍは、打撃面１４の向きを明確とするのに役立つ。未塗装領域６ｍは、構えやすさに寄与する。
【００３２】
もちろん、クラウン６の表面の全体が塗装領域６ｐであってもよい。
【００３３】
図３は、図２と同じく、ヘッド２の平面図である。塗装領域６ｐでは、彩度が変化している。塗装領域６ｐは、彩度最大部ＳＲ１と、高彩度領域ＳＲ２と、低彩度領域ＳＲ３とを有する。
【００３４】
彩度最大部ＳＲ１は、塗装領域６ｐにおいて彩度が最大値Ｃｍａｘである部分である。彩度最大部ＳＲ１は、領域であってもよいし、点であってもよい。彩度最大部ＳＲ１は、図心ＣＳを有する。
【００３５】
高彩度領域ＳＲ２は、彩度Ｃｍａｘとの彩度差が１５以下である領域である。図３において破線で示されるのは、彩度Ｃｍａｘとの彩度差が１５である彩度等高境界Ｓ２３である。この彩度等高境界Ｓ２３は、無端の曲線である。彩度等高境界Ｓ２３の内側の領域が、高彩度領域ＳＲ２である。高彩度領域ＳＲ２は、彩度最大部ＳＲ１を含む。高彩度領域ＳＲ２は、彩度等高境界Ｓ２３を含む。
【００３６】
彩度等高境界Ｓ２３における彩度は、[Ｃｍａｘ−１５]である。本実施形態において、彩度等高境界Ｓ２３は等高線である。彩度等高境界Ｓ２３は等高線でなくてもよい。彩度等高境界Ｓ２３は領域であってもよい。彩度等高境界Ｓ２３は、存在しなくてもよい。例えば、色がグラデーションではなく、彩度が非連続的に（段階的に）変化している場合、彩度等高境界Ｓ２３が存在しないことがありうる。
【００３７】
低彩度領域ＳＲ３は、彩度Ｃｍａｘとの彩度差が１５より大きい領域である。換言すれば、低彩度領域ＳＲ３の彩度は、[Ｃｍａｘ−１５]より小さい。彩度等高境界Ｓ２３の外側の領域が、低彩度領域ＳＲ３である。低彩度領域ＳＲ３は、彩度等高境界Ｓ２３を含まない。
【００３８】
低彩度領域ＳＲ３は、高彩度領域ＳＲ２を取り囲んでいる。塗装領域６ｐは、高彩度領域ＳＲ２及び低彩度領域ＳＲ３のみで占められている。低彩度領域ＳＲ３は、ヘッド２のバック側の縁まで延びている。低彩度領域ＳＲ３の輪郭線は、塗装領域６ｐの輪郭線に等しい。
【００３９】
低彩度領域ＳＲ３における彩度の最大値は、高彩度領域ＳＲ２における彩度の最小値よりも小さい。
【００４０】
なお、クラウンにマーキングや文字などが設けられる場合があるが、これらは彩度最大部ＳＲ１、高彩度領域ＳＲ２及び低彩度領域ＳＲ３から除外される。
【００４１】
図１が示すように、彩度最大部ＳＲ１から低彩度領域ＳＲ３に至る彩度の変化は、連続的である。彩度等高境界Ｓ２３は、視覚上、識別されない。
【００４２】
図４は、図３と同じく、ヘッド２の平面図である。図４では、高彩度領域ＳＲ２がハッチングで示されている。
【００４３】
ヘッド２の平面図において、フェースセンターＦｃを通りフェース−バック方向に延びる直線が直線Ｃとされる。高彩度領域ＳＲ２のうち直線Ｃよりもトウ側の部分の面積がＳｔとされる。図４では、実線ハッチングで示される部分の面積が、Ｓｔである。高彩度領域ＳＲ２のうち直線Ｃよりもヒール側の部分の面積がＳｈとされる。図４では、破線ハッチングで示される部分の面積が、Ｓｈである。本実施形態では、面積Ｓｔは面積Ｓｈよりも大きい。よって、高彩度領域ＳＲ２は、トウ側に位置するように見える。
【００４４】
[２．第２実施形態]
【００４５】
図５は、第２実施形態に係るゴルフクラブヘッド２０の平面図である。図示されていないが、ヘッド２０のクラウン２６には、グラデーション塗装が施されている。ヘッド２０の構造は、前述のヘッド２と同じである。塗装領域２６ｐも、ヘッド２の塗装領域６ｐと同じである。ヘッド２０は、１番ウッド（ドライバー）のヘッドである。
【００４６】
塗装領域２６ｐでは、明度が変化している。塗装領域２６ｐは、明度最大部ＭＲ１と、高明度領域ＭＲ２と、低明度領域ＭＲ３とを有する。
【００４７】
明度最大部ＭＲ１は、塗装領域６ｐにおいて明度が最大値Ｌｍａｘである部分である。明度最大部ＭＲ１は、領域であってもよいし、点であってもよい。明度最大部ＭＲ１は、図心ＣＭを有する。
【００４８】
高明度領域ＭＲ２は、明度Ｌｍａｘとの明度差が８．０以下である領域である。図５において破線で示されるのは、明度Ｌｍａｘとの明度差が８．０である明度等高境界Ｍ２３である。この明度等高境界Ｍ２３は、無端の曲線である。明度等高境界Ｍ２３の内側の領域が、高明度領域ＭＲ２である。高明度領域ＭＲ２は、明度最大部ＭＲ１を含む。高明度領域ＭＲ２は、明度等高境界Ｍ２３を含む。
【００４９】
明度等高境界Ｍ２３における明度は、[Ｌｍａｘ−８．０]である。本実施形態において、明度等高境界Ｍ２３は等高線である。明度等高境界Ｍ２３は等高線でなくてもよい。明度等高境界Ｍ２３は領域であってもよい。明度等高境界Ｍ２３は、存在しなくてもよい。例えば、色がグラデーションではなく、明度が非連続的に（段階的に）変化している場合、明度等高境界Ｍ２３が存在しないことがありうる。
【００５０】
低明度領域ＭＲ３は、明度Ｌｍａｘとの明度差が８．０より大きい領域である。換言すれば、低明度領域ＭＲ３の明度は、[Ｌｍａｘ−８．０]より小さい。明度等高境界Ｍ２３の外側の領域が、低明度領域ＭＲ３である。低明度領域ＭＲ３は、明度等高境界Ｍ２３を含まない。
【００５１】
低明度領域ＭＲ３は、高明度領域ＭＲ２を取り囲んでいる。塗装領域２６ｐは、高明度領域ＭＲ２及び低明度領域ＭＲ３のみで占められている。低明度領域ＭＲ３は、ヘッド２０のバック側の縁まで延びている。低明度領域ＭＲ３の輪郭線は、塗装領域２６ｐの輪郭線に等しい。
【００５２】
低明度領域ＭＲ３における明度の最大値は、高明度領域ＭＲ２における明度の最小値よりも小さい。
【００５３】
なお、クラウンにマーキングや文字などが設けられる場合があるが、これらは明度最大部ＭＲ１、高明度領域ＭＲ２及び低明度領域ＭＲ３から除外される。
【００５４】
明度最大部ＭＲ１から低明度領域ＭＲ３に至る明度の変化は、連続的である。明度等高境界Ｍ２３は、視覚上、識別されない。
【００５５】
図６は、図５と同じく、ヘッド２０平面図である。図６では、高明度領域ＭＲ２がハッチングで示されている。
【００５６】
ヘッド２０の平面図において、前記直線Ｃよりもトウ側の部分の面積がＭｔとされる。図６では、実線ハッチングで示される部分の面積が、Ｍｔである。高明度領域ＭＲ２のうち直線Ｃよりもヒール側の部分の面積がＭｈとされる。図６では、破線ハッチングで示される部分の面積が、Ｍｈである。本実施形態では、面積Ｍｔは面積Ｍｈよりも大きい。よって、高明度領域ＭＲ２は、トウ側に位置するように見える。
【００５７】
図７も、ヘッド２０の平面図である。前述した直線Ｃにより、平面図におけるヘッド２０は２つに分割される。ヘッド２０の全体の投影面積のうち、直線Ｃによりもトウ側のヘッド面積がＨｔとされ、直線Ｃよりもヒール側のヘッド面積がＨｈとされる。実線ハッチングの領域の面積が、Ｈｔである。破線ハッチングの領域の面積が、Ｈｈである。これらの合計[Ｈｔ＋Ｈｈ]は、平面図におけるヘッド２０の全体面積である。バックヒール部ＢＨが膨らんだヘッド形状の場合、面積Ｈｈが増加し、Ｈｈ／（Ｈｔ＋Ｈｈ）が増加する。
【００５８】
[３．第３実施形態]
【００５９】
図８は、第３実施形態に係るゴルフクラブヘッド３０の平面図である。図示されていないが、ヘッド３０のクラウン３６には、グラデーション塗装が施されている。クラウン３６は、塗装領域３６ｐを有する。本実施形態では、クラウン３６の全体が塗装領域３６ｐである。ヘッド３０は、フェアウェイウッド（３番ウッド）のヘッドである。
【００６０】
塗装領域３６ｐでは、明度が変化している。塗装領域３６ｐは、明度最大部ＭＲ１と、高明度領域ＭＲ２と、低明度領域ＭＲ３とを有する。
【００６１】
明度最大部ＭＲ１は、塗装領域３６ｐにおいて明度が最大値Ｌｍａｘである部分である。本実施形態では、明度最大部ＭＲ１は、点である。
【００６２】
高明度領域ＭＲ２は、明度Ｌｍａｘとの明度差が８．０以下である領域である。図８において一点鎖線で示されるのは、明度Ｌｍａｘとの明度差が８．０である明度等高境界Ｍ２３である。この明度等高境界Ｍ２３は、無端の曲線である。明度等高境界Ｍ２３の内側の領域が、高明度領域ＭＲ２である。高明度領域ＭＲ２は、明度最大部ＭＲ１を含む。高明度領域ＭＲ２は、明度等高境界Ｍ２３を含む。
【００６３】
明度等高境界Ｍ２３における明度は、[Ｌｍａｘ−８．０]である。本実施形態において、明度等高境界Ｍ２３は等高線である。
【００６４】
低明度領域ＭＲ３は、明度Ｌｍａｘとの明度差が８．０より大きい領域である。明度等高境界Ｍ２３の外側の領域が、低明度領域ＭＲ３である。低明度領域ＭＲ３は、明度等高境界Ｍ２３を含まない。
【００６５】
低明度領域ＭＲ３は、高明度領域ＭＲ２を取り囲んでいる。塗装領域３６ｐは、高明度領域ＭＲ２及び低明度領域ＭＲ３のみで占められている。低明度領域ＭＲ３は、ヘッド３０のバック側の縁まで延びている。低明度領域ＭＲ３の輪郭線は、塗装領域３６ｐの輪郭線に等しい。
【００６６】
明度最大部ＭＲ１から低明度領域ＭＲ３に至る明度の変化は、連続的である。明度等高境界Ｍ２３は、視覚上、識別されない。
【００６７】
塗装領域３６ｐでは、明度と共に彩度も変化している。塗装領域３６ｐは、彩度最大部ＳＲ１と、高彩度領域ＳＲ２と、低彩度領域ＳＲ３とを有する。
【００６８】
彩度最大部ＳＲ１は、塗装領域３６ｐにおいて彩度が最大値Ｃｍａｘである部分である。本実施形態において、彩度最大部ＳＲ１は、点である。彩度最大部ＳＲ１の位置は、明度最大部ＭＲ１の位置と相違している。彩度最大部ＳＲ１の位置は、明度最大部ＭＲ１の位置と同じであってもよい。
【００６９】
高彩度領域ＳＲ２は、彩度Ｃｍａｘとの彩度差が１５以下である領域である。図８において破線で示されるのは、彩度Ｃｍａｘとの彩度差が１５である彩度等高境界Ｓ２３である。この彩度等高境界Ｓ２３は、無端の曲線である。彩度等高境界Ｓ２３の内側の領域が、高彩度領域ＳＲ２である。高彩度領域ＳＲ２は、彩度最大部ＳＲ１を含む。高彩度領域ＳＲ２は、彩度等高境界Ｓ２３を含む。
【００７０】
彩度等高境界Ｓ２３における彩度は、[Ｃｍａｘ−１５]である。本実施形態において、彩度等高境界Ｓ２３は等高線である。
【００７１】
低彩度領域ＳＲ３は、彩度Ｃｍａｘとの彩度差が１５より大きい領域である。彩度等高境界Ｓ２３の外側の領域が、低彩度領域ＳＲ３である。低彩度領域ＳＲ３は、彩度等高境界Ｓ２３を含まない。
【００７２】
低彩度領域ＳＲ３は、高彩度領域ＳＲ２を取り囲んでいる。塗装領域６ｐは、高彩度領域ＳＲ２及び低彩度領域ＳＲ３のみで占められている。低彩度領域ＳＲ３は、ヘッド２のバック側の縁まで延びている。低彩度領域ＳＲ３の輪郭線は、塗装領域６ｐの輪郭線に等しい。
【００７３】
彩度最大部ＳＲ１から低彩度領域ＳＲ３に至る彩度の変化は、連続的である。彩度等高境界Ｓ２３は、視覚上、識別されない。
【００７４】
本実施形態では、彩度等高境界Ｓ２３の位置が明度等高境界Ｍ２３の位置とは異なる。彩度等高境界Ｓ２３及び明度等高境界Ｍ２３の両方が存在する場合、両者間の位置は一致しない場合が多い。もちろん、彩度等高境界Ｓ２３と明度等高境界Ｍ２３とが一致していてもよい。
【００７５】
本実施形態において、高明度領域ＭＲ２は略楕円形である。高明度領域ＭＲ２のトウ−ヒール方向幅は、高明度領域ＭＲ２のフェース−バック方向幅よりも大きい。本実施形態において、高彩度領域ＳＲ２は略楕円形である。高彩度領域ＳＲ２のトウ−ヒール方向幅は、高彩度領域ＳＲ２のフェース−バック方向幅よりも大きい。
【００７６】
[４．第４実施形態]
【００７７】
図９は、第４実施形態に係るゴルフクラブヘッド４０の平面図である。図示されていないが、ヘッド４０のクラウン４６には、グラデーション塗装が施されている。クラウン４６は、塗装領域４６ｐを有する。本実施形態では、クラウン４６の全体が塗装領域４６ｐである。ヘッド４０は、フェアウェイウッドのヘッドである。
【００７８】
塗装領域４６ｐでは、明度が変化している。塗装領域４６ｐは、明度最大部ＭＲ１と、高明度領域ＭＲ２と、低明度領域ＭＲ３とを有する。
【００７９】
明度最大部ＭＲ１は、塗装領域４６ｐにおいて明度が最大値Ｌｍａｘである部分である。本実施形態では、明度最大部ＭＲ１は、領域である。明度最大部ＭＲ１はハッチングで示されている。
【００８０】
高明度領域ＭＲ２は、明度Ｌｍａｘとの明度差が８．０以下である領域である。図９において破線で示されるのは、明度Ｌｍａｘとの明度差が８．０である明度等高境界Ｍ２３である。この明度等高境界Ｍ２３は、無端の曲線である。明度等高境界Ｍ２３の内側の領域が、高明度領域ＭＲ２である。高明度領域ＭＲ２は、明度最大部ＭＲ１を含む。高明度領域ＭＲ２は、明度等高境界Ｍ２３を含む。
【００８１】
明度等高境界Ｍ２３における明度は、[Ｌｍａｘ−８．０]である。本実施形態において、明度等高境界Ｍ２３は等高線である。
【００８２】
低明度領域ＭＲ３は、明度Ｌｍａｘとの明度差が８．０より大きい領域である。明度等高境界Ｍ２３の外側の領域が、低明度領域ＭＲ３である。低明度領域ＭＲ３は、明度等高境界Ｍ２３を含まない。
【００８３】
塗装領域４６ｐでは、明度と共に彩度も変化している。塗装領域４６ｐは、彩度最大部ＳＲ１と、高彩度領域ＳＲ２と、低彩度領域ＳＲ３とを有する。
【００８４】
彩度最大部ＳＲ１は、塗装領域４６ｐにおいて彩度が最大値Ｃｍａｘである部分である。本実施形態において、彩度最大部ＳＲ１は、領域である。彩度最大部ＳＲ１はハッチングで示されている。彩度最大部ＳＲ１の位置は、明度最大部ＭＲ１の位置と同じである。
【００８５】
高彩度領域ＳＲ２は、彩度Ｃｍａｘとの彩度差が１５以下である領域である。図９において破線で示されるのは、彩度Ｃｍａｘとの彩度差が１５である彩度等高境界Ｓ２３である。この彩度等高境界Ｓ２３は、無端の曲線である。彩度等高境界Ｓ２３の内側の領域が、高彩度領域ＳＲ２である。高彩度領域ＳＲ２は、彩度最大部ＳＲ１を含む。高彩度領域ＳＲ２は、彩度等高境界Ｓ２３を含む。
【００８６】
彩度等高境界Ｓ２３における彩度は、[Ｃｍａｘ−１５]である。本実施形態において、彩度等高境界Ｓ２３は等高線である。
【００８７】
低彩度領域ＳＲ３は、彩度Ｃｍａｘとの彩度差が１５より大きい領域である。彩度等高境界Ｓ２３の外側の領域が、低彩度領域ＳＲ３である。低彩度領域ＳＲ３は、彩度等高境界Ｓ２３を含まない。
【００８８】
本実施形態では、彩度等高境界Ｓ２３の位置が明度等高境界Ｍ２３の位置に一致している。
【００８９】
本実施形態において、高明度領域ＭＲ２は略楕円形である。高明度領域ＭＲ２のトウ−ヒール方向幅は、高明度領域ＭＲ２のフェース−バック方向幅よりも大きい。本実施形態において、高彩度領域ＳＲ２は略楕円形である。高彩度領域ＳＲ２のトウ−ヒール方向幅は、高彩度領域ＳＲ２のフェース−バック方向幅よりも大きい。
【００９０】
[５．第５実施形態]
【００９１】
図１０は、第５実施形態に係るゴルフクラブヘッド５０の平面図である。図示されていないが、ヘッド５０のクラウン５６には、グラデーション塗装が施されている。クラウン５６は、塗装領域５６ｐを有する。本実施形態では、クラウン５６の全体が塗装領域５６ｐである。ヘッド５０は、ハイブリッド型ヘッドである。
【００９２】
塗装領域５６ｐでは、明度が変化している。塗装領域５６ｐは、明度最大部ＭＲ１と、高明度領域ＭＲ２と、低明度領域ＭＲ３とを有する。
【００９３】
明度最大部ＭＲ１は、塗装領域５６ｐにおいて明度が最大値Ｌｍａｘである部分である。本実施形態では、明度最大部ＭＲ１は、領域である。明度最大部ＭＲ１はハッチングで示されている。
【００９４】
高明度領域ＭＲ２は、明度Ｌｍａｘとの明度差が８．０以下である領域である。図１０において破線で示されるのは、明度Ｌｍａｘとの明度差が８．０である明度等高境界Ｍ２３である。この明度等高境界Ｍ２３は、無端の曲線である。明度等高境界Ｍ２３の内側の領域が、高明度領域ＭＲ２である。高明度領域ＭＲ２は、明度最大部ＭＲ１を含む。高明度領域ＭＲ２は、明度等高境界Ｍ２３を含む。
【００９５】
明度等高境界Ｍ２３における明度は、[Ｌｍａｘ−８．０]である。本実施形態において、明度等高境界Ｍ２３は等高線である。
【００９６】
低明度領域ＭＲ３は、明度Ｌｍａｘとの明度差が８．０より大きい領域である。明度等高境界Ｍ２３の外側の領域が、低明度領域ＭＲ３である。低明度領域ＭＲ３は、明度等高境界Ｍ２３を含まない。
【００９７】
塗装領域５６ｐでは、明度と共に彩度も変化している。塗装領域５６ｐは、彩度最大部ＳＲ１と、高彩度領域ＳＲ２と、低彩度領域ＳＲ３とを有する。
【００９８】
彩度最大部ＳＲ１は、塗装領域５６ｐにおいて彩度が最大値Ｃｍａｘである部分である。本実施形態において、彩度最大部ＳＲ１は、領域である。彩度最大部ＳＲ１はハッチングで示されている。彩度最大部ＳＲ１の位置は、明度最大部ＭＲ１の位置と同じである。
【００９９】
高彩度領域ＳＲ２は、彩度Ｃｍａｘとの彩度差が１５以下である領域である。図１０において破線で示されるのは、彩度Ｃｍａｘとの彩度差が１５である彩度等高境界Ｓ２３である。この彩度等高境界Ｓ２３は、無端の曲線である。彩度等高境界Ｓ２３の内側の領域が、高彩度領域ＳＲ２である。高彩度領域ＳＲ２は、彩度最大部ＳＲ１を含む。高彩度領域ＳＲ２は、彩度等高境界Ｓ２３を含む。
【０１００】
彩度等高境界Ｓ２３における彩度は、[Ｃｍａｘ−１５]である。本実施形態において、彩度等高境界Ｓ２３は等高線である。
【０１０１】
低彩度領域ＳＲ３は、彩度Ｃｍａｘとの彩度差が１５より大きい領域である。彩度等高境界Ｓ２３の外側の領域が、低彩度領域ＳＲ３である。低彩度領域ＳＲ３は、彩度等高境界Ｓ２３を含まない。
【０１０２】
本実施形態では、彩度等高境界Ｓ２３の位置が明度等高境界Ｍ２３の位置に一致している。
【０１０３】
本実施形態において、高明度領域ＭＲ２は略円形である。高明度領域ＭＲ２のトウ−ヒール方向幅は、高明度領域ＭＲ２のフェース−バック方向幅に等しい。本実施形態において、高彩度領域ＳＲ２は略円形である。高彩度領域ＳＲ２のトウ−ヒール方向幅は、高彩度領域ＳＲ２のフェース−バック方向幅に等しい。
【０１０４】
[６．明度及び彩度：ＣＩＥＬＡＢ表示系の指数Ｌ＊、ａ＊及びｂ＊]
【０１０５】
ＣＩＥＬＡＢ表示系の指数Ｌ＊、ａ＊及びｂ＊により、色が客観的な数値で表現されうる。指数Ｌ＊、ａ＊及びｂ＊は、下記数式によって算出される。
Ｌ＊  ＝  １１６（Ｙ／Ｙｎ）１／３  −  １６
ａ＊  ＝  ５００（（Ｘ／Ｘｎ）１／３  −  （Ｙ／Ｙｎ）１／３）
ｂ＊  ＝  ２００（（Ｙ／Ｙｎ）１／３  −  （Ｚ／Ｚｎ）１／３）
これらの数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。指数の測定は、コニカミノルタ社の色彩色差計「ＣＭ−３５００ｄ」によってなされる。受光部が対象物の表面に当てられ、測定がなされる。光源には、「標準の光Ｄ６５」が採用される。この光源の色温度は、６５０４ｋである。分光感度としては、「２°視野」が採用される。孔径として、３ｍｍが採用される。なお、対象物の表面が曲面である等の理由により、正確な測定ができない場合、対象物と同じ色が平面上に再現された平面サンプルを測定することができる。
【０１０６】
本願において、明度は、Ｌ＊の値である。彩度は、下記数式によって算出される。
彩度  ＝  [（ａ＊）２＋（ｂ＊）２]１／２
【０１０７】
[７．平面図における基準線等]
【０１０８】
彩度や明度が高い領域の位置や、ヘッドの形状等を記述する観点から、平面図における基準線、基準点等が定義される。
【０１０９】
各平面図が示すように、直線Ｃは、フェースセンターＦｃを通り且つフェース−バック方向に延びる直線である。直線Ｃを基準として、高明度領域ＭＲ２、高彩度領域ＳＲ２等の位置が判断されうる。
【０１１０】
図３等が示すように、直線Ｃと、ヘッドのフェース側の輪郭線との交点が、点Ｐｆである。直線Ｃと、ヘッドのバック側の輪郭線との交点が、点Ｐｂである。交点Ｐｆと交点Ｐｂとを結ぶ線分の中点が、点Ｐｍである。この中点Ｐｍは、クラウンセンターとも称される。
【０１１１】
図３等が示すように、クラウンセンターＰｍを通りトウ−ヒール方向に延びる直線が、直線Ｖとされる。直線Ｖと、ヘッドのトウ側の輪郭線との交点が、点Ｐｔである。直線Ｖと、ヘッドのヒール側の輪郭線との交点が、点Ｐｈである。クラウンセンターＰｍと交点Ｐｔとを結ぶ線分の長さがＬｔとされる。クラウンセンターＰｍと交点Ｐｈとを結ぶ線分の長さが、Ｌｈとされる。
【０１１２】
ヘッドの輪郭のバックヒール部ＢＨは、ホーゼル近傍から点Ｐｂにかけての輪郭線である。このバックヒール部ＢＨが膨らむほど、長さＬｈが増大し、Ｌｈ／（Ｌｈ＋Ｌｔ）が増大する。
【０１１３】
図３等で示される点Ｐｚは、ホーゼル孔１２の開口中心点である。この点Ｐｚは、ホーゼル孔１２の上縁１６により形成されている円の中心である。この開口中心点Ｐｚと点Ｐｂとを結ぶ線分が線分Ｄとされ、この線分Ｄの長さがＬ１とされる。この線分Ｄよりもヒール側に位置する前記ヘッドの輪郭線上の点であって、線分Ｄから最も離れた点が、点Ｐｓである。点Ｐｓと線分Ｄとの間の距離がＬ２とされる。
【０１１４】
前記バックヒール部ＢＨが膨らむほど、距離Ｌ２が増大し、Ｌ２／Ｌ１が増大する。
【０１１５】
[８．アドレス時におけるイメージ]
【０１１６】
アドレスにおいて、ゴルファーはヘッドを見る。このヘッドの形状が、ゴルファーに様々なイメージを与える。このイメージは、スイングに影響しうる。このイメージは、ショットの結果に影響しうる。このイメージが違和感である場合、スイングが乱れやすい。この違和感により、ミスショットが生じやすい。
【０１１７】
クラウンを有するヘッドの場合、ヘッドの投影面積が大きい。また、クラウンを有するヘッドでは、ヘッドの輪郭形状の設計自由度が大きい。クラウンを有するヘッドでは、クラウンを有さないヘッドに比べて、多様なイメージが生じやすい。
【０１１８】
アドレスにおいてゴルファーに注目されやすい点のひとつは、ヘッドのバック側の輪郭形状である。この輪郭形状は目立つ。更に、この輪郭形状の設計自由度は高く、ヘッド毎に当該輪郭形状には差異がある。よって、ゴルファー毎に、違和感が生じやすい輪郭形状が存在しうる。特に、前記バックヒール部の輪郭形状により、違和感が生じやすいことが判明した。この輪郭形状に起因する違和感として、以下の（ａ）及び（ｂ）があることが判った。
（ａ）ボールのつかまりに関する違和感
（ｂ）ダフりのミスショットに関する違和感
【０１１９】
違和感（ａ）に関して、ボールのつかまりとは、インパクトにおけるフェースの向きに関する概念である。「ボールのつかまりがよい」とは、インパクトにおいてフェースがオープンにならず、ボールがしっかりと捉えられることを意味する。「ボールのつかまりが悪い」とは、インパクトにおいてフェースがオープンとなり、ボールを捉え損なうことを意味する。アドレスにおいて、ボールのつかまりがよいと感じることで、自然なスイングができ、ナイスショットが生まれやすい。
【０１２０】
バックヒール部ＢＨの輪郭形状に起因して、上記違和感（ａ）が生じやすいことが判った。特に、バックヒール部ＢＨの膨らみが大きいヘッド形状の場合、次の違和感（ａ１）が生じやすいことが判った。
（ａ１）ボールのつかまりが悪く感じる違和感
【０１２１】
違和感（ｂ）に関して、特にバックヒール部ＢＨの膨らみが大きいヘッド形状の場合、次の違和感（ｂ１）が生じやすいことが判った。
【０１２２】
（ｂ１）インパクト前にバックヒール部ＢＨの膨らんだ部分のソール面が地面に接触するように感じる違和感
【０１２３】
この違和感（ｂ１）が生じる原因は、次の通りである。一般に、特にクラウンを有するクラブの場合、インパクトにおいてヘットのトウ側よりヒール側のほうが低い位置にある。これは、当該クラブのライ角の設定に起因する。ヒール側のほうが低い位置にあるという基本的認識の上に、バックヒール部ＢＨが膨らんでいるという意識が加わると、当該バックヒール部ＢＨが地面に接触するイメージが生じやすい。
【０１２４】
このように、バックヒール部ＢＨの輪郭形状に起因して違和感（ａ）及び（ｂ）が生じやすい。特に、バックヒール部ＢＨの膨らみが大きいヘッド形状の場合、違和感（ａ１）及び（ｂ１）が生じやすい。
【０１２５】
＜違和感抑制効果１＞
ゴルファーの目線は、明度又は彩度が大きい領域に向かいやすい。高明度領域又は高彩度領域をトウ側に設けることで、バックヒール部ＢＨへの意識が減少する。このため、バックヒール部ＢＨの形状に起因する違和感（ａ）及び（ｂ）が抑制され、特に前記違和感（ａ１）及び（ｂ１）が効果的に抑制される。
【０１２６】
＜違和感抑制効果２＞
前述の通り、ゴルファーの目線は、高明度領域又は高彩度領域に向かいやすい。加えて、高明度領域は低明度領域に比べて、より近く見える。同様に、高彩度領域は低彩度領域に比べて、より近く見える。高明度領域又は高彩度領域をトウ側に設けることで、クラウンのトウ側が近くに見える。したがって、アドレスの際に、ヘッドがアップライトに見える。アップライトとは、ライ角が大きい状態を意味する。一般に、クラブがアップライトの場合、打撃面の法線が左を向きやすい（右利きクラブの場合）。このため、アップライトに見えるヘッドは、つかまりがよいイメージを与える。結果として、アップライトに見えることで、つかまりが悪いと感じる違和感（ａ１）が低減される。
【０１２７】
[９．彩度が高い領域の位置]
【０１２８】
前述の通り、高彩度領域ＳＲ２のうち、直線Ｃよりもトウ側の部分の面積がＳｔとされ、直線Ｃよりもヒール側の部分の面積がＳｈとされる（図４参照）。高彩度領域ＳＲ２をトウ側に配置することで、違和感が抑制される。この観点から、面積Ｓｔは面積Ｓｈよりも大きいのが好ましく、更には、Ｓｔ／Ｓｈ（図４参照）は、１．５以上が好ましく、１．６以上がより好ましく、１．７以上が更に好ましい。面積Ｓｈは、ゼロであってもよい。高彩度領域ＳＲ２がトウ側に寄りすぎると、アップライトに見える感覚が強すぎるとの違和感が生じうる。この観点から、面積Ｓｈはゼロでないのが好ましく、Ｓｔ／Ｓｈは３．５以下が好ましい。
【０１２９】
ゴルファーの目線をトウ側に向けさせる観点から、彩度最大部ＳＲ１は、直線Ｃよりもトウ側に位置するのが好ましい。ゴルファーの目線をヘッドのバック側の輪郭線から離す観点から、彩度最大部ＳＲ１の図心ＣＳは、直線Ｖよりもフェース側に位置するのが好ましい（図３参照）。
【０１３０】
[１０．明度が高い領域の位置]
【０１３１】
前述の通り、高明度領域ＭＲ２のうち、直線Ｃよりもトウ側の部分の面積がＭｔとされ、直線Ｃよりもヒール側の部分の面積がＭｈとされる（図６参照）。前述の通り、高明度領域ＭＲ２をトウ側に配置することで、違和感が抑制される。この観点から、面積Ｍｔは面積Ｍｈよりも大きいのが好ましく、更には、Ｍｔ／Ｍｈは、１．５以上が好ましく、１．６以上がより好ましく、１．７以上が更に好ましい。面積Ｍｈは、ゼロであってもよい。高明度領域ＭＲ２がトウ側に寄りすぎると、アップライトに見える感覚が強すぎるとの違和感が生じうる。この観点から、面積Ｍｈはゼロでないのが好ましく、Ｍｔ／Ｍｈは３．５以下が好ましい。
【０１３２】
ゴルファーの目線をトウ側に向けさせる観点から、明度最大部ＭＲ１は、直線Ｃよりもトウ側に位置するのが好ましい。ゴルファーの目線をヘッドのバック側の輪郭線から離す観点から、明度最大部ＭＲ１の図心ＣＭは、直線Ｖよりもフェース側に位置するのが好ましい（図５参照）。
【０１３３】
[１１．好ましいヘッド形状]
【０１３４】
明度又は彩度が大きい領域がトウ側に配置されることで、ゴルファーがバックヒール部ＢＨの輪郭形状を意識しにくくなる。このため、バックヒール部ＢＨの輪郭形状に起因する違和感が低減される。
【０１３５】
特に、バックヒール部ＢＨが大きく膨らんだヘッド形状の場合には、前記違和感（ａ１）及び（ｂ１）が生じやすい。したがって、バックヒール部ＢＨが大きく膨らんでいる場合に、違和感抑制効果がより一層高まる。この観点から、Ｈｈ／（Ｈｔ＋Ｈｈ）は大きい方が好ましい（図７参照）。Ｈｈ／（Ｈｔ＋Ｈｈ）は、０．４０以上が好ましく、０．４１以上がより好ましく、０．４２以上が更に好ましい。形状の設計自由度の限界を考慮すると、Ｈｈ／（Ｈｔ＋Ｈｈ）は、０．５２以下が好ましく、０．５１以下がより好ましく、０．５０以下が更に好ましい。
【０１３６】
上述の通り、バックヒール部ＢＨが大きく膨らんでいる場合に、違和感抑制効果がより一層高まる。この観点から、Ｌｈ／（Ｌｈ＋Ｌｔ）は大きい方が好ましい（図３参照）。Ｌｈ／（Ｌｈ＋Ｌｔ）は、０．４０以上が好ましく、０．４１以上がより好ましく、０．４２以上が更に好ましい。形状の設計自由度の限界を考慮すると、Ｌｈ／（Ｌｈ＋Ｌｔ）は、０．５０以下が好ましく、０．４９以下がより好ましく、０．４８以下が更に好ましい。
【０１３７】
上述の通り、バックヒール部ＢＨが大きく膨らんでいる場合に、違和感抑制効果がより一層高まる。この観点から、Ｌ２／Ｌ１は大きい方が好ましい（図３参照）。Ｌ２／Ｌ１は、０．１４０以上が好ましく、０．１４１以上がより好ましく、０．１４２以上が更に好ましい。形状の設計自由度の限界を考慮すると、Ｌ２／Ｌ１は、０．１６２以下が好ましく、０．１６１以下がより好ましく、０．１６０以下が更に好ましい。
【０１３８】
[１２．その他]
【０１３９】
トウ側における高彩度領域ＳＲ２の存在感を増加させ、目線をトウ側に向けさせる観点から、面積Ｈｔ（図７参照）に対する面積Ｓｔ（図４参照）の割合は、大きい方が好ましい。Ｓｔ／Ｈｔは、０．２０以上が好ましく、０．２５以上がより好ましく、０．３０以上が更に好ましい。Ｓｔ／Ｈｔが過大であると、トウ側における高彩度領域ＳＲ２が目立たない場合がある。この観点から、Ｓｔ／Ｈｔは、０．９５以下が好ましく、０．９０以下がより好ましく、０．８５以下が更に好ましい。
【０１４０】
ヒール側における高彩度領域ＳＲ２の存在感を減少させ、目線をトウ側に向けさせる観点から、面積Ｈｈ（図７参照）に対する面積Ｓｈ（図４参照）の割合は、小さい方が好ましい。Ｓｈ／Ｈｈは、０．７０以下が好ましく、０．６５以下がより好ましく、０．６０以下が更に好ましい。面積Ｓｈは、ゼロであってもよい。Ｓｈ／Ｈｈが過小であると、アップライトに見えるとの感覚が強すぎる違和感が生じる場合がある。この観点から、Ｓｈ／Ｈｈは、０．１０以上が好ましく、０．１５以上がより好ましく、０．２０以上が更に好ましい。
【０１４１】
トウ側における高明度領域ＭＲ２の存在感を増加させ、目線をトウ側に向けさせる観点から、面積Ｈｔ（図７参照）に対する面積Ｍｔ（図６参照）の割合は、大きい方が好ましい。Ｍｔ／Ｈｔは、０．２０以上が好ましく、０．２５以上がより好ましく、０．３０以上が更に好ましい。Ｍｔ／Ｈｔが過大であると、トウ側における高明度領域ＭＲ２が目立たない場合がある。この観点から、Ｍｔ／Ｈｔは、０．９５以下が好ましく、０．９０以下がより好ましく、０．８５以下が更に好ましい。
【０１４２】
ヒール側における高明度領域ＭＲ２の存在感を減少させ、目線をトウ側に向けさせる観点から、面積Ｈｈ（図７参照）に対する面積Ｍｈ（図６参照）の割合は、小さい方が好ましい。Ｍｈ／Ｈｈは、０．７０以下が好ましく、０．６５以下がより好ましく、０．６０以下が更に好ましい。面積Ｍｈは、ゼロであってもよい。Ｍｈ／Ｈｈが過小であると、アップライトに見えるとの感覚が強すぎる違和感が生じる場合がある。この観点から、Ｍｈ／Ｈｈは、０．１０以上が好ましく、０．１５以上がより好ましく、０．２０以上が更に好ましい。
【０１４３】
ヘッドの大きさ及び基本形状は、ヘッドのタイプによって相違する。このため、ヘッドのタイプ毎に、前記長さＬｈの好ましい数値が変化しうる。
【０１４４】
ドライバーヘッドの場合、長さＬｈ（図３参照）は、４５ｍｍ以上が好ましく、４７ｍｍ以上がより好ましく、４９ｍｍ以上がより好ましい。ドライバーヘッドの体積を考慮すると、長さＬｈは、５５ｍｍ以下が好ましい。
【０１４５】
フェアウェイウッド型ヘッドの場合、長さＬｈは、３６ｍｍ以上が好ましく、３７．５ｍｍ以上がより好ましく、３９ｍｍ以上がより好ましい。フェアウェイウッド型ヘッドの体積を考慮すると、長さＬｈは、４５ｍｍ以下が好ましい。
【０１４６】
ハイブリッド型ヘッドの場合、長さＬｈは、３６ｍｍ以上が好ましく、３８ｍｍ以上がより好ましく、４０ｍｍ以上がより好ましい。ハイブリッド型ヘッドの体積を考慮すると、長さＬｈは、４５ｍｍ以下が好ましい。
【０１４７】
塗装領域は、高明度領域ＭＲ２及び高彩度領域ＳＲ２の両方を有していても良い。塗装領域は、高明度領域ＭＲ２を有し、高彩度領域ＳＲ２を有していなくても良い。塗装領域は、高彩度領域ＳＲ２を有し、高明度領域ＭＲ２を有していなくても良い。高明度領域ＭＲ２又は高彩度領域ＳＲ２のいずれか一方が存在すれば、上述の違和感抑制効果は奏される。
【０１４８】
ゴルファーの目線を引きつける観点から、高明度領域ＭＲ２の明度は、１０以上が好ましく、１１以上がより好ましく、１２以上が更に好ましい。過度な明度の変化を防止する観点から、高明度領域ＭＲ２の明度は、９５以下であってもよい。
【０１４９】
ゴルファーの目線を引きつける観点から、Ｌｍａｘは、１１以上が好ましく、１２以上がより好ましく、１３以上が更に好ましい。過度な明度の変化を防止する観点から、Ｌｍａｘは、９５以下であってもよい。
【０１５０】
ゴルファーの目線を引きつける観点から、高彩度領域ＳＲ２の彩度は、１５以上が好ましく、１６以上がより好ましく、１７以上が更に好ましい。過度な彩度の変化を防止する観点から、高彩度領域ＳＲ２の彩度は、８０以下であってもよい。
【０１５１】
ゴルファーの目線を引きつける観点から、Ｃｍａｘは、１６以上が好ましく、１７以上がより好ましく、１８以上が更に好ましい。過度な彩度の変化を防止する観点から、Ｃｍａｘは、８０以下であってもよい。
【０１５２】
塗装領域の塗装に用いられる塗料は、１種類であってもよいし、２種類以上であってもよい。１種類の塗料であっても、例えばドットにより塗装し、当該ドットの密度を変化させることで、明度又は彩度を変化させることができる。好ましくは、２種類以上の塗料が用いられる。明度又は彩度の変化を容易とする観点から、より好ましくは、２種類以上の有色の塗料が用いられる。
【０１５３】
好ましくは、高明度領域ＭＲ２の少なくとも一部が第１塗料で着色されており、低明度領域ＭＲ３の少なくとも一部が第２塗料で着色されている。好ましくは、第１塗料の明度が第２塗料の明度よりも大きい。好ましくは、第１塗料と第２塗料とが重なり合った領域が存在する。
【０１５４】
好ましくは、高彩度領域ＳＲ２の少なくとも一部が第１塗料で着色されており、低彩度領域ＳＲ３の少なくとも一部が第２塗料で着色されている。好ましくは、第１塗料の彩度が第２塗料の彩度よりも大きい。好ましくは、第１塗料と第２塗料とが重なり合った領域が存在する。
【０１５５】
好ましい塗装方法の一例は、塗装領域の全体を前記第２塗料で塗装する第１工程と、この第１工程の後に前記第１塗料で当該塗装領域の一部を塗装する第２工程とを含む。好ましくは、第２工程において、第１塗料はスプレー塗装される。このスプレー塗装では、噴射の中心から周囲に向かって彩度又は明度が徐々に変化する構成が容易に得られる。
【０１５６】
好ましいヘッドの一例は、ドライバーヘッドである。ドライバーとは、１番ウッド（Ｗ＃１）を意味する。通常、ドライバーヘッドは、以下の構成（１ａ）から（１ｄ）を有する。
（１ａ）曲面のフェース面
（１ｂ）中空部
（１ｃ）３００ｃｃ以上４６０ｃｃ以下の体積
（１ｄ）７度以上１４度以下のリアルロフト
【０１５７】
好ましいヘッドの他の例は、フェアウェイウッド型ヘッドである。フェアウェイウッドとして、３番ウッド（Ｗ＃３）、４番ウッド（Ｗ＃４）、５番ウッド（Ｗ＃５）、７番ウッド（Ｗ＃７）、９番ウッド（Ｗ＃９）、１１番ウッド（Ｗ＃１１）及び１３番ウッド（Ｗ＃１３）が例示される。通常、フェアウェイウッド型ヘッドは、以下の構成（２ａ）から（２ｄ）を有する。
（２ａ）曲面のフェース面
（２ｂ）中空部
（２ｃ）１００ｃｃ以上３００ｃｃ未満の体積
（２ｄ）１４度よりも大きく３３度以下のリアルロフト
【０１５８】
より好ましくは、フェアウェイウッド型ヘッドのヘッド体積は、１００ｃｃ以上２００ｃｃ以下である。
【０１５９】
好ましいヘッドの他の例は、ハイブリッド型ヘッドである。ハイブリッド型ヘッドは、ユーティリティ型ヘッドとも称される。通常、ハイブリッド型ヘッドは、以下の構成（３ａ）から（３ｄ）を有する。
（３ａ）曲面のフェース面
（３ｂ）中空部
（３ｃ）１００ｃｃ以上２００ｃｃ以下の体積
（３ｄ）１５度以上３３度以下のリアルロフト
【０１６０】
より好ましくは、ハイブリッド型ヘッドの体積は、１００ｃｃ以上１５０ｃｃ以下である。
【０１６１】
ヘッドの材質は限定されない。ヘッドの材質として、金属、ＣＦＲＰ（炭素繊維強化プラスチック）等が例示される。前記金属として、純チタン、チタン合金、ステンレス鋼、マレージング鋼、アルミニウム合金、マグネシウム合金及びタングステン−ニッケル合金から選ばれる一種以上の金属が例示される。ステンレス鋼として、ＳＵＳ６３０及びＳＵＳ３０４が例示される。ステンレス鋼の具体例として、ＣＵＳＴＯＭ４５０（カーペンター社製）が例示される。チタン合金として、６−４チタン（Ｔｉ−６Ａｌ−４Ｖ）及びＴｉ−１５Ｖ−３Ｃｒ−３Ｓｎ−３Ａｌが例示される。
【０１６２】
ヘッドの製造方法は限定されない。通常、中空のヘッドは、２個以上の部材が接合されることにより製造される。ヘッドを構成する各部材の製造方法は限定されず、鋳造、鍛造及びプレスフォーミングが例示される。
【０１６３】
ヘッドの構造として、それぞれ一体成形された２個の部材が接合された２ピース構造、それぞれ一体成形された３個の部材が接合された３ピース構造、それぞれ一体成形された４個の部材が接合された４ピース構造等が挙げられる。
【産業上の利用可能性】
【０１６４】
本開示は、ウッド型ヘッド、ハイブリッド型ヘッドなど、クラウンを有するゴルフクラブヘッドに適用されうる。
【符号の説明】
【０１６５】
２、２０、３０、４０、５０・・・ヘッド
６、２６、３６、４６、５６・・・クラウン
１２・・・ホーゼル孔
６ｐ、２６ｐ、３６ｐ、４６ｐ、５６ｐ・・・塗装領域
ＳＲ１・・・彩度最大部
ＳＲ２・・・高彩度領域
ＳＲ３・・・低彩度領域
ＭＲ１・・・明度最大部
ＭＲ２・・・高明度領域
ＭＲ３・・・低明度領域
Ｆｃ・・・フェースセンター
ＢＨ・・・バックヒール部
【図１】
2019013376.tif 000003
【図２】
2019013376.tif 000004
【図３】
2019013376.tif 000005
【図４】
2019013376.tif 000006
【図５】
2019013376.tif 000007
【図６】
2019013376.tif 000008
【図７】
2019013376.tif 000009
【図８】
2019013376.tif 000010
【図９】
2019013376.tif 000011
【図１０】
2019013376.tif 000012
【図１１】
2019013376.tif 000013
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
フェースセンターを有する打撃面と、塗装領域を有するクラウンと、ソールと、ホーゼル孔とを備えており、
前記塗装領域の色がＣＩＥＬＡＢ表示系における指数Ｌ＊、ａ＊及びｂ＊で表され、この色の彩度が（（ａ＊）２＋（ｂ＊）２）１／２であるとき、
前記塗装領域が、
前記彩度が最大値Ｃｍａｘである彩度最大部と、
前記彩度最大部を含み前記彩度Ｃｍａｘとの彩度差が１５以下である高彩度領域と、
前記彩度Ｃｍａｘとの彩度差が１５より大きい低彩度領域とを有しており、
前記低彩度領域は、前記高彩度領域を取り囲んでおり、
ヘッドの平面図において、前記フェースセンターを通りフェース−バック方向に延びる直線が直線Ｃとされ、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔが面積Ｓｈよりも大きいゴルフクラブヘッド。
【請求項２】
Ｓｔ／Ｓｈが１．５以上である請求項１に記載のゴルフクラブヘッド。
【請求項３】
前記塗装領域の色の明度が前記指数Ｌ＊であるとき、
前記塗装領域が、
前記明度が最大値Ｌｍａｘである明度最大部と、
前記明度最大部を含み前記明度Ｌｍａｘとの明度差が８．０以下である高明度領域と、
前記明度Ｌｍａｘとの明度差が８．０より大きい低明度領域とを有しており、
前記低明度領域は、前記高明度領域を取り囲んでおり、
ヘッドの平面図において、前記高明度領域のうち前記直線Ｃよりもトウ側の部分の面積がＭｔとされ、前記高明度領域のうち前記直線Ｃよりもヒール側の部分の面積がＭｈとされるとき、面積Ｍｔが面積Ｍｈよりも大きい請求項１又は２に記載のゴルフクラブヘッド。
【請求項４】
Ｍｔ／Ｍｈが１．５以上である請求項３に記載のゴルフクラブヘッド。
【請求項５】
フェースセンターを有する打撃面と、塗装領域を有するクラウンと、ソールと、ホーゼル孔とを備えており、
前記塗装領域の色がＣＩＥＬＡＢ表示系における指数Ｌ＊、ａ＊及びｂ＊で表され、この色の明度がＬ＊であるとき、
前記塗装領域が、
前記明度が最大値Ｌｍａｘである明度最大部と、
前記明度最大部を含み前記明度Ｌｍａｘとの明度差が８．０以下である高明度領域と、
前記明度Ｌｍａｘとの明度差が８．０より大きい低明度領域とを有しており、
前記低明度領域は、前記高明度領域を取り囲んでおり、
ヘッドの平面図において、前記フェースセンターを通りフェース−バック方向に延びる直線が直線Ｃとされ、前記高明度領域のうち前記直線Ｃよりもトウ側の部分の面積がＭｔとされ、前記高明度領域のうち前記直線Ｃよりもヒール側の部分の面積がＭｈとされるとき、面積Ｍｔが面積Ｍｈよりも大きいゴルフクラブヘッド。
【請求項６】
Ｍｔ／Ｍｈが１．５以上である請求項５に記載のゴルフクラブヘッド。
【請求項７】
前記塗装領域の色の彩度が（（ａ＊）２＋（ｂ＊）２）１／２であるとき、
前記塗装領域が、
前記彩度が最大値Ｃｍａｘである彩度最大部と、
前記彩度最大部を含み前記彩度Ｃｍａｘとの彩度差が１５以下である高彩度領域と、
前記彩度Ｃｍａｘとの彩度差が１５より大きい低彩度領域とを有しており、
前記低彩度領域は、前記高彩度領域を取り囲んでおり、
ヘッドの平面図において、前記高彩度領域のうち前記直線Ｃよりもトウ側の部分の面積がＳｔとされ、前記高彩度領域のうち前記直線Ｃよりもヒール側の部分の面積がＳｈとされるとき、面積Ｓｔが面積Ｓｈよりも大きい請求項５又は６に記載のゴルフクラブヘッド。
【請求項８】
Ｓｔ／Ｓｈが１．５以上である請求項７に記載のゴルフクラブヘッド。
【請求項９】
前記直線Ｃよりもトウ側のヘッド面積がＨｔとされ、前記直線Ｃよりもヒール側のヘッド面積がＨｈとされるとき、
Ｈｈ／（Ｈｔ＋Ｈｈ）が０．４０以上である請求項１から８のいずれか１項に記載のゴルフクラブヘッド。
【請求項１０】
前記直線Ｃが、前記ヘッドのフェース側の輪郭線との交点Ｐｆと、前記ヘッドのバック側の輪郭線との交点Ｐｂと、前記交点Ｐｆと前記交点Ｐｂとを結ぶ線分の中点Ｐｍとを有しており、前記中点Ｐｍがクラウンセンターとされ、
前記クラウンセンターを通りトウ−ヒール方向に延びる直線が直線Ｖとされ、
前記直線Ｖが、前記ヘッドのトウ側の輪郭線との交点Ｐｔと、前記ヘッドのヒール側の輪郭線との交点Ｐｈとを有しており、
前記クラウンセンターと前記交点Ｐｔとを結ぶ線分の長さがＬｔとされ、前記クラウンセンターと前記交点Ｐｈとを結ぶ線分の長さがＬｈとされるとき、Ｌｈ／（Ｌｈ＋Ｌｔ）が０．４０以上である請求項１から９のいずれか１項に記載のゴルフクラブヘッド。
【請求項１１】
前記ヘッドのバック側の輪郭線と前記直線Ｃの交点Ｐｂと前記ホーゼル孔の開口中心点Ｐｚとを結ぶ線分が線分Ｄとされ、
前記線分Ｄの長さがＬ１とされ、
前記線分Ｄよりもヒール側に位置する前記ヘッドの輪郭線上の点であって前記線分Ｄから最も離れた点Ｐｓと前記線分Ｄとの間の距離がＬ２とされるとき、
Ｌ２／Ｌ１が０．１４０以上である請求項１から１０のいずれか１項に記載のゴルフクラブヘッド。
【手続補正２】
【補正対象書類名】明細書
【補正対象項目名】０００８
【補正方法】変更
【補正の内容】
【０００８】
他の側面において、前記塗装領域の色の明度が前記指数Ｌ＊であるとき、前記塗装領域が、前記明度が最大値Ｌｍａｘである明度最大部と、前記明度最大部を含み前記明度Ｌｍａｘとの明度差が８．０以下である高明度領域と、前記明度Ｌｍａｘとの明度差が８．０より大きい低明度領域とを有していてもよい。前記低明度領域は、前記高明度領域を取り囲んでいてもよい。ヘッドの平面図において、前記高明度領域のうち前記直線Ｃよりもトウ側の部分の面積がＭｔとされ、前記高明度領域のうち前記直線Ｃよりもヒール側の部分の面積がＭｈとされるとき、面積Ｍｔは面積Ｍｈよりも大きくてもよい。Ｍｔ／Ｍｈが１．５以上であってもよい。
【手続補正３】
【補正対象書類名】明細書
【補正対象項目名】０００９
【補正方法】変更
【補正の内容】
【０００９】
他の側面において、ゴルフクラブヘッドは、フェースセンターを有する打撃面と、塗装領域を有するクラウンと、ソールと、ホーゼル孔とを備えている。前記塗装領域の色がＣＩＥＬＡＢ表示系における指数Ｌ＊、ａ＊及びｂ＊で表され、この色の明度がＬ＊であるとき、前記塗装領域が、前記明度が最大値Ｌｍａｘである明度最大部と、前記明度最大部を含み前記明度Ｌｍａｘとの明度差が８．０以下である高明度領域と、前記明度Ｌｍａｘとの明度差が８．０より大きい低明度領域とを有していてもよい。前記低明度領域は、前記高明度領域を取り囲んでいてもよい。ヘッドの平面図において、前記フェースセンターを通りフェース−バック方向に延びる直線が直線Ｃとされ、前記高明度領域のうち前記直線Ｃよりもトウ側の部分の面積がＭｔとされ、前記高明度領域のうち前記直線Ｃよりもヒール側の部分の面積がＭｈとされるとき、面積Ｍｔは面積Ｍｈよりも大きくてもよい。Ｍｔ／Ｍｈが１．５以上であってもよい。
【手続補正４】
【補正対象書類名】明細書
【補正対象項目名】００１８
【補正方法】変更
【補正の内容】
【００１８】
所定のライ角及びリアルロフト角で水平面ＨＰ上にヘッド２が載置された状態が、基準状態とされる。図１１が示すように、この基準状態では、水平面ＨＰに対して垂直な平面ＶＰに、ホーゼル孔の中心線Ｚが含まれている。前記平面ＶＰが、基準垂直面とされる。所定のライ角及びリアルロフト角は、例えば製品カタログに掲載されている。
【手続補正５】
【補正対象書類名】明細書
【補正対象項目名】００１９
【補正方法】変更
【補正の内容】
【００１９】
本願においてトウ−ヒール方向とは、前記基準垂直面ＶＰと前記水平面ＨＰとの交線ＮＬの方向である（図１１参照）。
【手続補正６】
【補正対象書類名】明細書
【補正対象項目名】００２０
【補正方法】変更
【補正の内容】
【００２０】
本願においてフェース−バック方向とは、前記トウ−ヒール方向に対して垂直であり且つ前記水平面ＨＰに対して平行な方向である。
【手続補正７】
【補正対象書類名】明細書
【補正対象項目名】００２１
【補正方法】変更
【補正の内容】
【００２１】
本願において上下方向とは、前記トウ−ヒール方向に対して垂直であり且つ前記フェース−バック方向に対して垂直な方向である。換言すれば、本願において上下方向とは、前記水平面ＨＰに対して垂直な方向である。
【手続補正８】
【補正対象書類名】明細書
【補正対象項目名】００２３
【補正方法】変更
【補正の内容】
【００２３】
本願において平面図とは、ヘッドの上面図を意味する。この平面図は、平行投影図であって、前記水平面ＨＰに平行な平面への正投影図である。投影の方向は、前記上下方向である。本願のクラウンに関する規定は、いずれもこの平面図における規定である。
【手続補正９】
【補正対象書類名】明細書
【補正対象項目名】００５５
【補正方法】変更
【補正の内容】
【００５５】
図６は、図５と同じく、ヘッド２０の平面図である。図６では、高明度領域ＭＲ２がハッチングで示されている。
【手続補正１０】
【補正対象書類名】明細書
【補正対象項目名】００７２
【補正方法】変更
【補正の内容】
【００７２】
低彩度領域ＳＲ３は、高彩度領域ＳＲ２を取り囲んでいる。塗装領域３６ｐは、高彩度領域ＳＲ２及び低彩度領域ＳＲ３のみで占められている。低彩度領域ＳＲ３は、ヘッド３０のバック側の縁まで延びている。低彩度領域ＳＲ３の輪郭線は、塗装領域３６ｐの輪郭線に等しい。